Podtech/llm-jp-corpus-v4-ja_patent huggingface dataset:
(57)【要約】【課題】煤除去のための作業を容易にしないし軽減して、これに要する工数やコストを低減できる。【解決手段】煤成分である炭素と反応するガスの単体ないし当該ガスを含む混合ガス（空気を除く）を炉内に導入して、炉内部材に付着した煤を除去ないし剥離させる。上記ガス単体としてＮＨ3ガスを使用し、炉内温度を７００℃以上に設定する。【選択図】        なし【特許請求の範囲】
【請求項１】
煤成分である炭素と反応するガスの単体ないし当該ガスを含む混合ガス（空気を除く）を炉内に導入して、炉内部材に付着した煤を除去ないし剥離させることを特徴とする炉内クリーニング方法。
【請求項２】
前記単体ガスとしてアンモニアガスを使用する請求項１に記載の炉内クリーニング方法。
【請求項３】
前記炉内の温度を７００℃以上に設定した請求項１又は２に記載の炉内クリーニング方法。
【発明の詳細な説明】
【技術分野】
【０００１】
本発明は浸炭炉等の炉内部材に付着した煤を除去ないし剥離させることが可能な炉内クリーニング方法に関するものである。
【背景技術】
【０００２】
浸炭炉や浸炭ガスの変成炉では遊離炭素が配管や断熱材、治具等の炉内の各部材に堆積し煤となって付着する。このため、定期的に炉内に空気を送り込んで煤を燃焼除去する、バーンアウトが行われている。ところが、特に真空浸炭炉では高温強度に優れたカーボンヒータや、加えて断熱性にも優れるカーボン断熱材を使用することが多く、これらカーボンヒータやカーボン断熱材は空気中に含まれる酸素と反応して損傷するためバーンアウトによる煤の除去ができない。
【０００３】
このため、付着した煤をクリーナで吸引したり、グラインダで研削し、あるいは断熱材を交換等する必要があるため作業の工数やコストがかかるという問題があった。なお、特許文献１には、浸炭処理室内へ酸素を含んだ気体を導入するとともに当該気体を高周波放電によってプラズマ化し、このプラズマを作用させることで煤を除去する方法が示されている。
【先行技術文献】
【特許文献】
【０００４】
【特許文献１】特開２００４−９９９３４
【発明の概要】
【発明が解決しようとする課題】
【０００５】
本発明は上記従来の問題点に鑑みてなされたもので、煤除去のための作業を容易にしないし軽減して、これに要する工数やコストを低減できる炉内クリーニング方法を提供することを目的とする。
【課題を解決するための手段】
【０００６】
上記課題を解決するために本発明の炉内クリーニング方法では、煤成分である炭素と反応するガスの単体ないし当該ガスを含む混合ガス（空気を除く）を炉内に導入して、炉内部材に付着した煤を除去ないし剥離させる。
【０００７】
本発明によればガス単体ないしこれを含む混合ガスが炭素と反応して炉内部材に付着した煤の大部分を分解除去しあるいは剥離させる。これにより、煤除去作業が不要となり、あるいは除去作業が容易になるから、煤除去作業の工数やコストが低減される。
【０００８】
上記ガス単体としてはＮＨ3ガスが好適に使用でき、これ以外に、ＮＯxガス、ＣＯ2ガス、Ｈ2Ｏガス等が使用できる。酸素（Ｏ2）ガスを使用することもできるが、この場合にはＯ2ガス濃度を１％以下にする必要がある。
【０００９】
上記ガス単体ないし混合ガスを導入する際の炉内温度は、７００℃以上が好ましい。７００℃以上にすると煤の剥離が生じ、除去作業が非常に容易になる。さらに９００℃以上にすると煤は大部分が分解されて気化し、効率的に除去されるから、除去作業の工数が低減できる。９００℃以上では温度を高くするほど煤の除去は進行するが除去効率の増加量は低下するから、温度上昇に要する投入エネルギーとの兼ね合いで最適温度を決定する。
【発明の効果】
【００１０】
以上のように、本発明の炉内クリーニング方法によれば、煤除去のための作業を容易にしないし軽減して、これに要する工数やコストを削減することができる。
【図面の簡単な説明】
【００１１】
【図１】煤の減少度と炉内温度の関係を示すグラフである。
【発明を実施するための形態】
【００１２】
なお、以下に説明する実施形態はあくまで一例であり、本発明の要旨を逸脱しない範囲で当業者が行う種々の設計的改良も本発明の範囲に含まれる。
【００１３】
容量６ｍ3で炉内圧力を１５００Ｐａとした真空浸炭炉内に、炭素を主体とした煤を付着させた直方体形のサンプルを装入した。サンプルの大きさは縦１００（ｍｍ）×横１００（ｍｍ）×高さ５０（ｍｍ）とした。そして、炉内温度を６００℃〜１０５０℃の範囲で変更しつつ、実施例としてアンモニア（ＮＨ3）ガスを、比較例として窒素（Ｎ2）ガスをそれぞれ流量６００Ｌ／ｈで炉内へ供給して１０時間処理し、各温度においてサンプルに付着した煤の減少度Ｒd（煤重量減少量／煤付着量）と煤の剥離の有無を調べた。これを表１に示す。
【００１４】
【表１】
2016117939.tif 000002
【００１５】
表１の実施例で示すように、ＮＨ3ガスを炉内に供給しつつ炉内温度を７００℃〜１０５０℃の範囲で表中の各温度に設定した場合、煤の減少度Ｒdは７００℃、８００℃、８５０℃、９２５℃、１０００℃、１０５０℃の各温度でそれぞれ１３％、１９％、１３％、７２％、８２％、８８％となる。これより、炉内温度を９００℃以上にするとサンプルに付着した煤の大部分が気化除去されるから、除去作業の工数が低減できることがわかる。炉内温度が７００℃〜９００℃では煤の気化除去については未だ不十分であるものの、サンプル表面からの煤の剥離が生じるから、煤の除去作業が非常に容易になることがわかる。
【００１６】
一方、表１の比較例によると、炉内温度が６００℃ではＮＨ3ガスを炉内に供給しても、煤の減少度Ｒdは１３％であり、かつ、サンプル表面からの煤の剥離も生じない。また、Ｎ2ガスを炉内に供給した場合には、炉内温度を８５０℃、９２５℃、１０００℃にしても、煤の減少度Ｒdはそれぞれ６％、６％、４％と非常に少なく、またサンプル表面からの煤の剥離も生じない。
【００１７】
図１には、表１の結果をグラフにして示す。ＮＨ3ガスを供給した場合、炉内温度を９００℃以上で高くするほど煤の減少度Ｒdは増大するもののその伸びは低下している。このことは、温度上昇に要する投入エネルギーとの兼ね合いで最適温度を決定する必要があることを示している。
【図１】
2016117939.tif 000003
(57)【要約】【課題】    本発明は、従来から存在する植物由来の化粧品類、健康補助食品、清涼飲料水用原料とは異なり、夏みかん、いわゆるナツダイダイに由来する新しい機能性原料を創出することにある。【解決手段】夏みかん、いわゆるナツダイダイの果皮、もしくは果実全体、果肉との組み合わせを、蒸留することで新しい機能性原料が得られる。【選択図】なし【特許請求の範囲】
【請求項１】
夏みかん、いわゆるナツダイダイの果皮、もしくは果実全体、果肉との組み合わせから得られる化粧品用原料。
【請求項２】
夏みかん、いわゆるナツダイダイの果皮、もしくは果実全体、果肉との組み合わせから得られる健康補助食品用原料。
【請求項３】
夏みかん、いわゆるナツダイダイの果皮、もしくは果実全体、果肉との組み合わせから得られる清涼飲料水用原料。
【請求項４】
請求項１で得られた化粧品用原料を配合した化粧品類。
【請求項５】
請求項２で得られた健康補助食品用原料を配合した健康補助用食品。
【請求項６】
請求項３で得られた清涼飲料水用原料を配合した清涼飲料水。
【発明の詳細な説明】
【技術分野】
【０００１】  本発明は、洗顔料、メイク落とし、化粧水、乳液、クリーム、美容液、美容オイル、化粧石けん等、健康補助用食食品、清涼飲料水に使用される夏みかん、いわゆるナツダイダイ由来原料に関する。
【技術背景】
【０００２】  従来から、化粧品に配合される原料の中でも、天然由来の原料、特に植物に由来した原料は、需要が高く市場での認知度も高いものが多い。そして、特にこれらの原料を配合した化粧料は、市場で好まれる傾向にある。
【０００３】  また、健康補助用食品や清涼飲料水と原料としても、天然由来、特に植物由来原料は需要が高く、市場で好まれる傾向にある。
【０００４】  しかしながら、天然の植物に中には、まだ化粧品類、健康補助用食品、清涼飲料水用の原料として、用いられていない種があるか、もしくは未知な加工法がある。
【発明の概要】
【発明が解決しようとする課題】
【０００５】  本発明は、以上のように、未だ存在し得なかった天然植物である、特に夏みかん、いわゆるナツダイダイから見出された、新しい化粧品用原料、健康補助食品用原料、清涼飲料水原料を提供することを目的としている。
【課題を解決するための手段】
【０００６】  夏みかん、いわゆるナツダイダイから見出された、新しい化粧品用原料、健康補助食品用原料、清涼飲料水原料は、対象とする夏みかん、いわゆるナツダイダイの主に果皮を使用する。【０００７】  前項により得られた夏みかん、いわゆるナツダイダイの果皮は、採取後、水分含有量１０％以下に乾燥させる。【０００８】  さらに前項により乾燥させた果皮をそのままの状態もしくは粉砕し、夏みかん、いわゆるナツダイダイの果肉、果実全体とのうち一つか、また二つ以上に組合せる。【０００９】  次に、前項により得られた夏みかん果皮の乾燥物、または果肉、果実との混合物を、エタノール、イソプロパノール又はそれらの混合物である極性溶媒を用いて水蒸気蒸留を行う。【００１０】  前項によりえら得られた蒸留液、いわゆる新しい化粧品用原料、健康補助食品用原料、清涼飲料水原料は、パラベン類、デヒドロ酢酸、安息香酸塩、フェノキシエタノール、１，３−ブチレングリコール、ヘキサンジオール、その他、極性有機溶媒、植物由来の防腐効果を有する成分を添加することにより、原料の腐敗を防ぐ。
【発明の効果】
【００１１】  夏みかん、いわゆるナツダイダイの乾燥させた果皮をそのままの状態もしくは粉砕し、夏みかん、いわゆるナツダイダイの果肉、果実全体とのうち一つか、また二つ以上に組合せた混合物を、エタノール、イソプロパノール又はそれらの混合物である極性溶媒を用いて水蒸気蒸留して得られた蒸留液に、パラベン類、デヒドロ酢酸、安息香酸塩、フェノキシエタノール、１，３−ブチレングリコール、ヘキサンジオール、その他、極性有機溶媒、植物由来の防腐効果を有する成分を添加することで、化粧品類、健康補助食品、清涼飲料水に、安定な状態で配合することができる。【００１２】  従来の夏みかん、いわゆるナツダイダイ由来の原料は、化粧品類においては皮膚コンディショニング剤、保湿剤、美白剤、細胞賦活剤、代謝促進補助剤、微小循環改善剤などとして、健康補助用食品、清涼飲料水においては皮膚コンディショニング剤、美白剤、血行改善剤として配合されているが、本発明により得られたものも、それに準じる。【００１３】  従来の夏みかん、いわゆるナツダイダイに由来した原料には、ビタミン類全般、特にビタミンＣ、ビタミンＰなどの機能性成分が含まれており、皮膚、人体にとって、有益であることが既知の事実として認知されている。【００１４】  前項に挙げたビタミンＰは、特にヘスペリジンが特徴的で、血流改善や皮膚温維持などの働きが既知の事実として認知されている。
【発明を実施するための形態】
【００１５】  以下、本発明の実施を説明する。
【実施例１】
【００１６】  夏みかん、いわゆるナツダイダイの乾燥果皮と、夏みかん、いわゆるナツダイダイの果肉、果実全体とのうち一つか、また二つ以上に組合せたもの１００ｇを、５０％エタノール水溶液で蒸留する。【００１７】  前項により得られた蒸留液をそのままか、もしくは、パラベン類、デヒドロ酢酸、安息香酸塩、フェノキシエタノール、１，３−ブチレングリコール、ヘキサンジオール、その他、極性有機溶媒、植物由来の防腐効果を有する成分のうち一つか、また二つ以上の組合せを１％以内で添加し原料とする。
【産業上の利用可能性】
【００１８】  本発明は、化粧品類、健康補助用食品、清涼飲料水を製造する産業で利用される。【００１９】  本発明は、液体成分であることから、化粧品類では洗顔料、メイク落とし、化粧水、乳液、クリーム、美容液、美容オイル、化粧石けん等、様々な形態の製品に利用できる。
(57)【要約】【課題】最近開拓された一般住宅内の道路側溝には木の葉等のゴミが落ち、これが側溝に取り付けた家庭用の溝蓋の下に入り込み各家庭で掃除に苦慮している様子である。そこで溝蓋の下にゴミを入れないように考案した「側溝内粗ゴミ移動遮断装置」を提供する。【解決の手段】  対向する溝形レール（１）を間隔棒（２）で間隔を維持しながら連結固定し溝形レール（１）に取り付けたナット（３）とこのナット（３）にネジ込んだボルト（４）で構成されたフレームを側溝内に溝に直角に固定する。溝形レール（１）に金網（５）を差し込むことで溝蓋の下への粗ゴミの移動を遮断しこの部分にゴミを集積させるのを特徴とする。【選択図】図１
2016037843.tif 000002
【特許請求の範囲】
【請求項１】
対向する溝形レール（１）を、バネ性を持った間隔棒（２）で間隔を維持固定し溝形レール（１）に取り付けたナット（３）とこれにネジ込んで側溝壁に固定するボルト（４）で構成されたフレーム及び対向溝形レール（１）に差し換え可能な金網（５）を差し込んだ「側溝内粗ゴミ移動遮断装置」
【発明の詳細な説明】
【技術分野】
【０００１】この発明は道路側溝内に溜る粗ゴミの溝蓋の下への移動を遮断する着脱可能な金網を有する「側溝内粗ゴミ移動遮断装置」に関するものである。
【背景技術】
【０００２】従来の技術  金網の入れ換えが出来なかった。
【先行技術文献】
【特許文献】
【０００３】
【特許文献１】特開２００３−３２８４２７  広報
【発明の概要】
【発明が解決しようとする課題】
【０００４】  従来、一般住宅団地内の道路側溝には各家庭用の多数の溝蓋が付けられている。
この溝蓋の下へのゴミの侵入を防ぐ方法が無く、止むを得ず溝に粗い固定網を挟んだり、レンガを積んだり木板で防いだりと云った方法の防止策を各自で構じている。
本発明は以上の様な各家庭の悩みを解決する為になされたものである。
【課題を解決する為の手段】
【０００５】  対向する溝形レール（１）、溝形レール（１）の間隔を維持する間隔棒（２）、溝形レール（１）に取り付けたナット（３）と取付けボルト（４）からなる「フレーム」及び溝形レール（１）に挿入する金網（５）を設ける。
本発明は以上の構成よりなる「道路側溝内粗ゴミ移動遮断装置」である。
【発明の効果】
【０００６】本装置を道路側溝内に設置し、溝蓋の下への粗ゴミの侵入を遮断することで溝蓋を上げての清掃の手間が無くなり、清掃の簡便化がはかれる。
【図面の簡単な説明】
【０００７】
【図１】本発明の斜視図である
【発明を実施するための形態】
【０００８】対向させた溝形レール（１）を間隔棒（２）で連結固定し、間隔棒（２）の近くにナット（３）を対向溝形レール（１）に取り付ける。
ナット（３）にそれぞれ側壁への固定用ボルト（４）をネジ込んだ状態のものを１個のフレームとし、取り換え可能な金網（５）を溝形レール（１）に差し込む。
本発明は以上のような構造である。
これを使用するときは、フレームを側溝に直角に差し込みボルト（４）をネジ込んで側溝に固定する。その後、金網（５）を溝形レール（１）に落とし込む。
上記ボルトはトガリ先のものを使用すれば更に固定が確かなものになる。
【符号の説明】
【０００９】１  レール
２  間隔棒
３  ナット
４  ボルト
５  金網
【図１】
2016037843.tif 000003
(57)【要約】【課題】  便器の縁裏などの水洗では流し切れない汚れが溜まり易く、狭く清掃のしにくい部分への尿の飛沫・飛散などの汚れを遮断して、しつこい尿石汚れなどが付着することを防止する。【解決手段】  便器の形に適合するシートで便器の縁裏への隙間や清掃しにくい狭い部分など水洗によって完全に流し切れない汚れの残り易い部分を覆い、排尿時の飛沫の飛散を遮断し、シートが水洗で流されないように便器に粘着するよう貼り付ける。またシート自体が水洗されるように、適切に切れ込みを入れ、水流の上流側のシートを粘着させておくことで、シート表面を洗浄できるようにする。【選択図】図１
2016037841.tif 000002
【特許請求の範囲】
【請求項１】
便器の内側の縁の裏への隙間などの水洗で流し切れない汚れの残り易い部分や清掃のしにくい狭い部分に尿などの汚れが飛散・付着しないように、便器の曲線に沿うビニールなどのシート・フィルム・シール・テープ状のものを貼り付けて汚れの付着を遮断することを特徴とする。
【請求項２】
シートは水洗によって流されないように、またシート自体の表面を水洗浄できるように、便器に粘着するよう貼り付けて水流をシート上に誘導することを特徴とする。
【請求項３】
シートは貼り替え出来ることを特徴とする。
【発明の詳細な説明】
【技術分野】
【０００１】  この発明は、便器に対する排尿時に便器の内側の縁の裏など清掃のしにくい狭い部分への汚れや尿の飛沫の飛散による尿石の付着や固着を防止するためのシート（フィルム又はシール）である。
【背景技術】
【０００２】  便器の構造として内側内周上部の穴から水を流し、便器を洗浄するものであるが、従来排尿によって便器の内側の縁の裏に飛散した尿は、水洗時の水流のための穴の周りなどに付着するため、水洗しても必ずしも洗浄しきれず、水流で薄まったとしても成分が残っていればどうしても汚れとして残留し、日常的に小まめに清掃しない限り、付着した尿が乾燥して、やがてはしつこく頑固な尿石となり、除去するためには強力な洗剤・薬剤を用いて便器の縁裏を覗き込んで何時間も磨き擦るような多大な労力を必要とするものであった。【０００３】  以下は代表的なものとして、洋式便器を例にとり、説明する。
洋式便器の構造として便座の下の卵型をした鉢の内側内周上部の縁の裏に点在する穴から水を流し、反時計回りの水流で便器を洗浄するものであるが、従来立ち姿勢であれ着座姿勢であれ、排尿によって洋式便器の上部内周の縁の裏に飛散した尿は、水洗用の水流のための穴の周りなどに付着するため、いわば水道の蛇口が汚れた場合、いくら水を流しても蛇口自体の汚れは取り除けないのと同様に、水洗しても洗浄されず、日常的に小まめに清掃しない限り、付着した尿が乾燥してしまえば、やがてはしつこく頑固な尿石となり、便器の縁裏を何時間も磨き擦るような多大な労力を必要とし、清掃のために水資源を無駄遣いし、除去するためには強力な洗剤・薬剤を用いて下水の水質を汚染するものであった。
【発明の概要】
【発明が解決しようとする課題】
【０００４】  そこで、この発明は、便器の縁裏という水洗・清掃の非常にやりにくい場所への尿の飛散による尿石汚れの付着・固着を防止すると共に、清掃時間や労力の大幅な短縮と削減や水の無駄遣い防止と下水の水質保全を課題とする。
【課題を解決するための手段】
【０００５】  以上の課題を解決するために、この発明は、便器の形に適合するような、水洗用の穴を塞がぬシートを便器の鉢の上部から縁裏への隙間を覆うように被せて粘着させて貼り付けてしまうことで、縁裏への尿の飛散・付着自体を遮断してしまおうというものである。
【発明の効果】
【０００６】  この発明によれば、シートで便器の縁裏への隙間を覆ってしまうのであるから、洋式便器ならば立ち姿勢であれ着座姿勢であれ、また他の便器でも排尿時の縁裏への尿の飛沫・飛散・付着が一切無く、しつこい尿石が固着する事が全くなくなる。また、シートに適切な切れ込みを入れ、水洗の上流側を便器に粘着させることにより、水洗の水流をシートの上に誘導しシート自体を洗浄することも出来、シートの清潔をも保てるものである。また、便座下の鉢の上円周囲や縁の表にも粘着させ貼り付けることにより、シートが水流で流されることもなく、便器の間口を狭めることもない。あるいはシートの材質をトイレに流せる素材に工夫すれば、汚れのひどくなったシートはトイレに流し、貼り替えればよいだけである。尿石除去のために水を流し続けたり、何時間もの清掃作業や、強力な洗剤液が不要となり、水資源の節約と環境保全にも役立つ。
つまりシートを貼り付けるだけで、便器が汚れなくなり、清掃時間も労力も大幅に短縮・削減され、洗剤が不用になることで、水資源の節約と水質保全にもなるのである。
【発明を実施するための形態】
【０００７】  以下、本発明を実施するための形態について説明する。
代表として洋式便器を例にとると、便座下の卵型の鉢の外周に適合するやや円錐状のシートの内側をくりぬき、縁裏に達しない長さの切れ込みを内周に等しい間隔で入れる。
便器の鉢の上部および縁の表側および切れ込みの水流の上流側と接する部分のシートを便器に粘着させ貼り付ける。
これを、より便器の曲線に適合し易くするために、シートそのものを適宜細かく等分割して、それぞれを便器に貼り付けてもよい。
【図面の簡単な説明】
【図１】この発明の一実施形態を示す平面図である。
【図２】この発明の一実施形態を示す斜視図である。
【図３】便座を上げた洋式便器に設置した時の俯瞰図である。
【図４】便座を上げた洋式便器に設置した時の俯瞰図の分割図である。
【符号の説明】
【０００８】  １  便器の鉢の外周
２  便器の鉢の内周
３  便器の縁の表
４  便器の縁裏への隙間
５  切れ込み
６  非粘着部分
７  便器の鉢の上部
８  便器の鉢の外側への貼り付け部分
９  分割する場合の分割線
１０  水流の向きの例示
【図１】
2016037841.tif 000003
【図２】
2016037841.tif 000004
【図３】
2016037841.tif 000005
【図４】
2016037841.tif 000006
(57)【要約】【課題】マンホールポンプ場では、タオルや紙おむつ等の大きな夾雑物が流入することがあり、それらの夾雑物がポンプの羽に絡まり、ポンプが動かなくなることが多々起きる。また、マンホール内には有毒ガス等の発生により、内部での作業は非常に危険を伴い、事故も多く報告されている。本発明は、マンホール内に入ることなくマンホール内に流入する夾雑物を除去することを目的とする。【解決手段】本装置は、既設の副流入管５の内側にあり、流入管４の出口付近に、着脱金物6により着脱可能に設置する。材料は、腐食に耐えうるようステンレス鋼製とする。棘状フック8の先端は、流入してきた夾雑物を、突き刺し、留めるため棘状に加工を施してある。 【選択図】図1
2016037721.tif 000002
【特許請求の範囲】
【請求項１】
下水道マンホールポンプ場内に設置し、ポンプを閉塞させる要因となる、夾雑物を捕捉する装置であって、汚水流入管の出口と副流入管とに挟まれる空間に着脱が容易にでき、棘状のフックで構成されていることを特徴とするマンホール夾雑物除去装置
【請求項２】
副流入管に吊り下げ金具を介して着脱可能とすることを特徴とする請求項１の装置
【請求項３】
流入する夾雑物を棘状のフックで捕捉する構造を有すること、を特徴とする請求項１の装置
【請求項４】
マンホールの深さ等に応じ、全ねじを使用し、長さ調節が可能な請求項１の装置
【請求項５】
一定の夾雑物を捕捉すると通報する機能を有することを特徴とする請求項１の装置
【発明の詳細な説明】
【技術分野】
【０００１】
本発明は、マンホールポンプ場に流入する夾雑物を除去に関するものである。
【背景技術】
【０００２】
従来、マンホールポンプ場ではポンプ自体に多少の異物が混入しても問題ないようにできている。しかし、タオルや紙おむつ等の大きな夾雑物はポンプの羽に絡まってしまい、ポンプを引き上げて分解・除去を行わないと機能しなくなる現状がある。ポンプは、100ｋｇ以上あるものも多く引き上げるのには危険が伴い維持管理が大変である。また、マンホール内には有毒ガス等の発生により、内部での作業は非常に危険を伴い、事故も多く報告されている。このような背景から夾雑物除去のための装置が様々提案されている。
【先行技術文献】
【特許文献】
【０００３】
【特許文献１】特開2012-21386
【発明の概要】
【発明が解決しようとする課題】
【０００４】
特許文献１の技術は、かご状のものを設置するタイプである。しかし、ポンプで砕けるようなサイズの夾雑物も捕捉してしまい、すぐにかごがいっぱいになってしまう可能性がある。また、装置の引き上げのときには、マンホール内に入らないとならない可能性もある。本発明は、このような従来技術が有する問題を解決し、大きな夾雑物のみを捕捉し、流入の妨げにならないものであること。また、マンホール内に入らずに簡単に設置、引き上げができる装置を提供することを目的とする。
【課題を解決するための手段】
【０００５】
本発明は、マンホール上部から、チェーン等で下ろすことによりマンホールポンプ場の汚水流入管の出口と副流入管とに挟まれる空間に、取り付け及び取り外しができ、かつ棘状のフックを有することで上記の問題を解決したものである。また、全ネジを使用し長さ調整を容易に行うことができ、夾雑物が一定量になったときに通報する機能も付加することも可能である。
【発明の効果】
【０００６】
本発明は、マンホールポンプ場で使用できる。
【０００７】
本発明は、マンホール内に入らずに作業ができるため、作業時間を大幅に短縮できるものである。
【０００８】
本発明は、既設のマンホールポンプ場に取り付けができるため、夾雑物によりポンプの故障の多いマンホールポンプ場での効果が大いに期待できる。
【０００９】
この装置には、夾雑物が一定量になると通報する装置を付加することができるので、維持管理する上で効果的である。
【図面の簡単な説明】
【００１０】
【図１】マンホール内の概要図である
【図２】図１のA-A'断面図である。
【図３】装置を流入副管へ取り付けた状態の側面図である。
【図４】装置を流入副管へ取り付けた状態の平面図である。
【図５】装置の構造を示す正面図である。
【図６】装置の構造を示す側面図である。
【発明を実施するための形態】
【００１１】
この装置は、着脱部、リミットスイッチ内臓部、フック、チェーン等とで構成されている。
【００１２】
つぎに、本発明の実施の形態を図面を参照しながら詳細に説明する。
【００１３】
図1はマンホール内の概要図である。下水道マンホールポンプ場において、流入管４よりマンホール本体１に流入し副流入管５下部より予旋回槽15に流入し、ポンプ２により、吐出管３と通じマンホール外へ吐き出される。
【００１４】
本発明の装置は、図１、２で示すように、既設の副流入管５の内側にあり、流入管４の出口付近に、着脱可能に設置する。材料は、腐食に耐えうるようステンレス鋼製とする。吊り下げ位置は、流入管の口径、マンホールの大きさ等により変わるため、全ねじ14を、調整し、長ナット13で締め付けることにより高さ調節を可能とする。棘状フック8の先端は、流入してきた夾雑物を、突き刺し、留めるため棘状に加工を施してある。
【００１５】
図3、４は装置を流入副管へ取り付けた状態の側面図および平面図である。着脱金物6は、副流入管５に取り付けやすいように入り口が広く加工してある。
【００１６】
図5、6は装置の構造を示す正面図および側面図である。リミットスイッチ収納部7は箱状になっており、内部にリミットスイッチを内蔵することで、夾雑物が堆積したときに通報することを可能にする。アイボルト10はチェーンを取り付け、装置を上げ下げする際に使用する。棘状フック8は、流入副管へなめらかに挿入するために、釣り針のような構造をしている。フック下部には、フックの間を擦りぬける夾雑物を捕捉するために、U次型に加工した副棘状フック12が取り付けられている。また、棒状であるため、変形防止のため、振れどめ板11を下部に取り付けている。
【符号の説明】
【００１７】
１    マンホール本体          ２    ポンプ              ３    吐出管
４    流入管                  ５    副流入管            ６    着脱金物
７    リミットスイッチ収納部  ８    棘状フック          ９    袋ナット
１０  アイボルト              １１  振れ止め板          １２  副棘状フック
１３  長ナット                １４  全ねじ            
【図１】
2016037721.tif 000003
【図２】
2016037721.tif 000004
【図３】
2016037721.tif 000005
【図４】
2016037721.tif 000006
【図５】
2016037721.tif 000007
【図６】
2016037721.tif 000008
(57)【要約】      （修正有）【課題】ひっくり返ることのないクッション及びそれを備えるファンアセンブリを提供する。【解決手段】ファンアセンブリは、ファン２０と、クッション１０を備え、前記ファンには、貫通孔２４が設けられた端部が設置され、前記クッションは、前記端部の外側に当接する弾性部１２と、前記弾性部から延伸し前記貫通孔を挿通する軸部１４と、前記弾性部の周縁の一部から延伸し前記端部の一端に当接する延伸部１６と、を備える。【選択図】図１
2016011686.tif 000002
【特許請求の範囲】
【請求項１】
平坦な弾性部と、
弾性部の一側から前記弾性部に対して垂直に延出する軸部と、
前記弾性部の周縁の一部から前記弾性部に対して垂直に延出する延伸部と、
を備えることを特徴とするクッション。
【請求項２】
前記軸部にはブロック部が突出することを特徴とする請求項１に記載のクッション。
【請求項３】
ファンと、
クッションと、を備え、
前記ファンには、貫通孔が設けられた端部が設置され、前記クッションは、前記端部の外側に当接する弾性部と、前記弾性部から延伸し前記貫通孔を挿通する軸部と、前記弾性部の周縁の一部から延伸し前記端部の一端に当接する延伸部と、を備えることを特徴とするファンアセンブリ。
【請求項４】
前記軸部には、前記端部の内側に当接するブロック部が突出することを特徴とする請求項３に記載のファンアセンブリ。
【発明の詳細な説明】
【技術分野】
【０００１】
本発明は、ファンアセンブリ及びそのクッションに関するものである。
【背景技術】
【０００２】
従来の技術において、ファンの端部にはクッションが設置されており、このクッションは、ファンが作動する過程で生じる振動を減衰させる。しかし、従来のクッションは平坦なシート状を呈し、ファンの端部に当接される。このため、ファンをサーバ内に挿入する際、シート状のクッションはサーバの側壁に押圧され、ひっくり返って変形する。
【発明の概要】
【発明が解決しようとする課題】
【０００３】
本発明の目的は、前記問題を解決し、ひっくり返ることのないクッション及びそれを備えるファンアセンブリを提供することである。
【課題を解決するための手段】
【０００４】
上記目的を達成するために、本発明に係るファンアセンブリは、ファンと、クッションを備え、前記ファンには、貫通孔が設けられた端部が設置され、前記クッションは、前記端部の外側に当接する弾性部と、前記弾性部から延伸し前記貫通孔を挿通する軸部と、前記弾性部の周縁の一部から延伸し前記端部の一端に当接する延伸部と、を備える。
【発明の効果】
【０００５】
本発明に係るファンアセンブリは、延伸部がファンの端部に当接して弾性部を引っ張るので、ファンをサーバ内に挿入する時、弾性部はひっくり返らない。
【図面の簡単な説明】
【０００６】
【図１】本発明の実施形態に係るファンアセンブリの分解斜視図である。
【図２】図１に示すファンアセンブリの組立斜視図である。
【発明を実施するための形態】
【０００７】
図１に示したように、本発明の実施形態に係るファンアセンブリは、ファン２０と、四つのクッション１０と、を備える。ファン２０は２つの端部２２を備え、各端部２２の四つの角には、貫通孔２４がそれぞれ設けられている。端部２２の角は弧形を呈する。
【０００８】
クッション１０は、ゴムから製造され、円形を呈する弾性部１２と、弾性部１２の一側から弾性部１２に対して垂直に延出する軸部１４と、弾性部１２の周縁の一部から弾性部１２に対して垂直に延出する延伸部１６と、を備える。延伸部１６の切断面は弧形を呈する。軸部１４上には、その径方向にブロック部１８が突出しており、このブロック部１８の弾性部１２の反対側には、弾性部１２から離れるように且つ軸部１４に向けて傾斜する斜面１８０が形成されている。
【０００９】
図２に示したように、軸部１４は貫通孔２４をそれぞれ挿通し、ブロック部１８は対応する端部２２の内側にそれぞれ当接され、弾性部１２は対応する端部２２の外側にそれぞれ当接され、延伸部１６は対応する角をそれぞれカバーする。これによって、ファンアセンブリをサーバ(図示せず)内に挿入する時、延伸部１６が弾性部１２を引っ張って、弾性部１２を弾性変形させない。
【００１０】
他の実施形態において、端部２２の角は直角であっても良い。この時、延伸部１６は平坦なシート状を呈し、対応する端部２２の上端又は底端に当接する。即ち、延伸部１６の形状は端部２２に形状に対応して設計され得る。
【符号の説明】
【００１１】
１０  クッション
１２  弾性部
１４  軸部
１６  延伸部
１８  ブロック部
１８０  斜面
２０  ファン
２２  端部
２４  貫通孔
【図１】
2016011686.tif 000003
【図２】
2016011686.tif 000004
(57)【要約】      （修正有）【課題】強い締付け力を必要とする並目ねじのボルトとナットの間に強力な緩み止めを行う。【解決手段】上部部材７と下部部材８を重ねて締結するボルト１の右ねじの締付用ねじ部２の先端に、このねじ部の谷径より少し小径の左ねじの緩み止用ねじ部３を付属させ、上部部材７と下部部材８を右ねじの締付用ナット４により強く締結した後、左ねじの緩み止用ねじ部３に左ねじの緩み止用ナット５を重ねて締めこんで、右ねじの締付用ナット４の緩み止めを行なうようにした、ボルトとナットの緩み止めの構造。【選択図】図１
2016011749.tif 000002
【特許請求の範囲】
【請求項１】
ボルトとナットの緩み止めの構造において、上部部材（７）と下部部材（８）を重ねて締結するボルト（１）の右ねじの締付用ねじ部（２）の先端に引続いて、このねじ部（２）の谷径より少し小径の左ねじの緩み止用ねじ部（３）を設置しておく、上部部材（７）に座金（６）を載せて、右ねじの締付用ナット（４）を最終まで締め込んだ後、先端の緩み止用ねじ部（３）に左ねじ緩み止用ナット（５）をねじ込んで、締付用ナット（４）を強く押圧しておく、振動等により締付用ナット（４）が緩む方向に左回転しようとすると、これに密接している緩み止用ナット（５）も摩擦により左回転しようとする力が働く、しかし、この緩み止用ナット（５）は左ねじであるのでボルトの頭の方向に進もうとして、締付用ナット（４）を反対方向に強く押戻す力が発生するため、締付用ナットの回転は阻止されるようにしたボルトとナットの緩み止めの構造。
【請求項２】
ボルトとナットの緩み止めの構造において、ボルトの右ねじの締付用ねじ部（２）と右ねじの締付用ナット（４）の代わりに左ねじの締付用ねじ部及び左ねじの締付用ナットを使用し、左ねじの緩み止用ねじ部（３）と左ねじの緩み止用ナット（５）の代わりに右ねじの緩み止用ねじ部及び左ねじの緩み止用ナットを使用して緩み止めを行なうようにした、ボルトとナットの緩み止めの構造。
【発明の詳細な説明】
【技術分野】
【０００１】  本発明は強い締付け力を必要とする並目ねじボルトとナットの間に強力に緩み止めを行なおうとするものである。
【背景技術】
【０００２】  緩み止めのためボルトにナットを固定する方法としては、ナットとボルトを貫通する共孔を開けここに割ピンを押込む方法があるが、この穿孔は面倒であり、又ころがり軸受を押え込む時に使用するナットは細目ねじであって、大きな荷重には耐えられず、座金の舌を折込む箇所も限られている、又ねじ歯の摩擦力を高めるダブルナット式の緩み止めナットもあるが、この効果は不明である。
【発明の開示】
【発明が解決しようとする課題】
【０００３】  本発明は上部部材の上に座金を載せ、ナットを最終まで強く締め切ったそのままの位置で、特殊な緩み止めの方法により強力なナットの緩み止めを行なう。
【課題を解決するための手段】
【０００４】  上部部材７と下部部材８を重ねて締結するボルト１の、右ねじの締付用ねじ部２の先端に引続いて、このねじ部２の谷径より少し小径の左ねじの緩み止用ねじ部３を設置しておく、上部部材７に座金６を載せて右ねじの締付用ナット４を最終まで締め込んだ後、先端の緩み止用ねじ部３に左ねじ緩み止用ナット５をねじ込んで、締付用ナット４を強く押圧しておく。【０００５】  振動等により締付用ナット４が緩む方向に左回転しようとするとき、これに密接している緩み止用ナット５も摩擦により左回転しようとする力が働く、しかしこの緩み止用ナット５は左ねじであるのでボルトの頭の方向に進もうとして、締付用ナット４を反対方向に強く押戻す力が発生するため、締付用ナットの回転は阻止されるようになる。【０００６】  右ねじの締付用ナット４と緩み止用ナット５との接触面の摩擦を大きくするために、図３のように締付用ナットの上面に円錐台の突起１１を設け、緩み止用ナットの下面にこれに密接する凹み１２を設けることもできる。
【発明の効果】
【０００７】  本発明の実施により並目ねじボルトにナットを強く締め込んだ後、強力な緩み止めが可能になり、鉄道車両等振動の激しいナットの脱落を防止しうる。
【図面の簡単な説明】
【０００８】
【図１】本発明の実施形態の一例として、ボルトとナットに締付用ナットと緩み止用ナットを締め込んだ状態の縦断面図
【図２】図１の平面図
【図３】本発明の実施形態の別の例としてボルトに締付用ナットと緩み止用ナットを締め込んだ状態の縦断面図
【発明を実施するための形態】
【０００９】  本発明のボルトとナットの緩み止の構造に上部部材７と下部部材８を重ねて締結するボルト１の、右ねじの締付用ねじ部２の先端に引続いて、このねじ部２の谷径より少し小径の左ねじの緩み止用ねじ部３を設置しておく、上部部材７に座金６を載せて右ねじの締付用ナット４を最終まで締め込んだ後、先端の緩み止用ねじ部３に左ねじ緩み止用ナット５をねじ込んで、締付用ナット４を強く押圧しておく、締付用ナット４の上面及び緩み止用ナット５の下面には滑り止め加工を行なってもよい。
【００１０】  振動等により締付用ナット４が緩む方向に左回転しようとするとき、これに密接している緩み止用ナット５も摩擦により左回転しようとする力が働く、しかし、この緩み止用ナット５は左ねじであるのでボルトの頭の方向に進もうとして、締付用ナット４を反対の方向に強く押戻す力が発生するため、締付用ナットの回転は阻止されるようになる。
【００１１】  特にバイブレーター機械等振動の著しい機械に使用されるときは、緩み止用ナット５に小ねじ孔９をあけて、止めねじ１０をねじ込んで締付用ナットの上面に喰いこませて、両者を一体とすることにより確実な緩み止めを行うことができる。
【符号の説明】
【００１２】  １・・・ボルト                          ２・・・ボルトの締付用ねじ部
３・・・ボルトの緩み止用ねじ部          ４・・・締付用ナット
５・・・緩み止用ナット                  ６・・・座金
７・・・上部部材                        ８・・・下部部材
９・・・緩み止用ナットの小ねじ孔      １０・・・止めねじ
１１・・・締付用ナット上面の突起        １２・・・緩み止用ナット下面の凹み
【図１】
2016011749.tif 000003
【図２】
2016011749.tif 000004
【図３】
2016011749.tif 000005
(57)【要約】【課題】経口不老不死薬のバージョン7を作り最新科学応用で不老不死を完璧にする。【解決手段】ヒトｉＰＳ6因子である初期化するのに必要なものを用意し経口し初期化しておき、ｃｌｋ-1、eｌｔ-5、eｌｔ-6等の老化遺伝子を見つけ切り取るガイドRNAを含む、クリスパーキャス9をカプセルに入れるかコーティングするかして経口式にすることで口から飲むという単純化とし、このようにして老化遺伝子すべてが切り取られ望むならば若さを保つ遺伝子導入で若返りも可能なゲノム編集を施した、以上のような特徴を持つゲノム編集用クリスパーキャス9による老化遺伝子切り取り若返り経口不老不死薬7【選択図】なし【特許請求の範囲】
【請求項１】
（a）主として高齢老人のヒトｉＰＳ6因子である初期化するのに必要なＯｃｔ３／４、Ｓｏｘ２、Ｋｌｆ４、L−Myc、Lin28、Nanogを用意し経口し初期化しておき、
（ｂ）ｃｌｋ-1、eｌｔ-5、eｌｔ-6等の老化遺伝子を見つけ切り取るガイドRNAを含む、（ｃ）クリスパーキャス9をカプセルに入れて胃酸や熱で壊れないようにするか、コーティングするかして、たんぱく質のクリスパーキャス9「酵素たんぱく質ハサミ」で、
（ｄ）従来、これを血液中に入れていたが、これを経口式にすることで口から飲むという単純化とし、  
（e）このようにして高齢老人でも全細胞が初期化しテロメアも若返ったように元の長さに戻り、経口不老不死薬となるが脳細胞の初期化で記憶も甦るか、脳の中の海馬と大脳を光刺激か電極刺激して全記憶が甦り老人脳も若くなるし、老化遺伝子すべてが切り取られ望むならば若さを保つ遺伝子導入で若返りも可能なゲノム編集を施した、                                                      
以上のような特徴を持つゲノム編集用クリスパーキャス9による老化遺伝子切り取り若返り経口不老不死薬7
【発明の詳細な説明】
【技術分野】
【０００１】
本発明は、経口不老不死薬の改良で主として中高年高齢老人のケースに関する。
【背景技術】
【０００２】
従来、ヒトｉＰＳ細胞初期化6因子利用経口不老不死薬に関する高齢老人向けの技術はあったがゲノム編集不死技術はなかった。
【０００３】
【非特許文献１】「サイエンス」2014年11月28日
【非特許文献２】「ネイチャー」2014年12月11日
【非特許文献３】「ネイチャーオンライン版」2012年3月22日付
【特許文献１】特開2013-231088
【発明の開示】
【発明が解決しようとする課題】
【０００４】
従来、経口不老不死薬に関する中高年高齢老人向けの技術はすくなかったので最新技術よって改良実現させる。        
【課題を解決するための手段】
【０００５】
ゲノム編集用クリスパーキャス9による老化遺伝子切り取り若返り経口不老不死薬7と 高齢老人ヒトｉＰＳ細胞初期化6因子をもとにカプセル入れコーティングか老人脳全記憶甦りを海馬と大脳光電極刺激で行う。
【発明の効果】
【０００６】
不老不死の肉体を保てる。
【発明を実施するための最良の形態】
【０００７】
以下、本発明の実施例について時系列的に文章で説明する。主として高齢老人のヒトｉＰＳ6因子である初期化するのに必要なＯｃｔ３／４、Ｓｏｘ２、Ｋｌｆ４、L−Myc、Lin28、Nanogを用意し経口し初期化しておき、ｃｌｋ-1、eｌｔ-5、eｌｔ-6等の老化遺伝子を見つけ切り取るガイドRNAを含む、クリスパーキャス9をカプセルに入れて胃酸や熱で壊れないようにするか、コーティングするかして、たんぱく質のクリスパーキャス9「酵素たんぱく質ハサミ」で、従来、これを血液中に入れていたが、これを経口式にすることで口から飲むという単純化とし、このようにして高齢老人でも全細胞が初期化しテロメアも若返ったように元の長さに戻り、経口不老不死薬となるが脳細胞の初期化で記憶も甦るか、脳の中の海馬と大脳を光刺激か電極刺激して全記憶が甦り老人脳も若くなるし、老化遺伝子すべてが切り取られ望むならば若さを保つ遺伝子導入で若返りも可能なゲノム編集を施した、                                                      
以上のような特徴を持つゲノム編集用クリスパーキャス9による老化遺伝子切り取り若返り経口不老不死薬7。
【実施例】
【０００８】
上記の形態や非特許文献の如く実施される。
【産業上の利用可能性】
【０００９】
高齢老人ヒトｉＰＳ6因子コーティング初期化テロメア若返り利用老人脳光電極刺激全記憶甦り経口不老不死薬6やヒトｉＰＳ細胞初期化３遺伝子利用経口不老不死薬の改良技術でゲノム編集クリスパーキャス9で全身の各細胞レベルの各老化遺伝子の切り取りで大きく進歩を遂げ高齢化が進む中この薬の需要の産業上の利用可能性は高いと解される。
(57)【要約】      （修正有）【課題】一般道、高速、裏道等、制限速度の標識が見当たらない時に制限速度を認識する制限速度表示機能を提供する。【解決手段】ＧＰＳ１を利用して、カーナビ２に制限速度の表示３をする。設定で、表示非表示が出来、音声案内４のオン、オフを選択する【選択図】図１
2016050928.tif 000002
【特許請求の範囲】
【請求項１】
自動車の走行中、制限速度の標識が無いところも有る為、▲１▼ＧＰＳを利用して、▲２▼カーナビに制限速度の▲３▼表示が有ると常に制限速度を認識出来る為、
2016050928.tif 000003
設定で、表示、非表示が出来、▲４▼音声案内のオン、オフが選択出来る。
【発明の詳細な説明】
【技術分野】
【０００１】本発明は、自動車カーナビ▲２▼に関する便利な安全装置である。
ここから書き始めます。
【背景技術】一般道  高速、裏道等、制限速度の標識が見当たらない時がある。速度超過違反にも繋がる。【０００２】
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【・・・・】
【課題を解決するための手段】
【・・・・】
【発明の効果】
【・・・・】
【図面の簡単な説明】
【・・・・】
【図１】
【発明を実施するための形態】
【・・・・】
【実施例】
【・・・・】
【産業上の利用可能性】
【・・・・】
【符号の説明】
【・・・・】
【受託番号】
【・・・・】
【図１】
2016050928.tif 000004
【手続補正書】
【提出日】平成26年11月14日(2014.11.14)
【手続補正２】
【補正対象書類名】明細書
【補正対象項目名】全文
【補正方法】変更
【補正の内容】
【発明の詳細な説明】
【技術分野】
【０００１】本発明は動車給油口に関する便利な装置である。
【背景技術】
【０００２】一般道、高速、裏道等、制限速度の標識が見当たらない時がある。
速度超過にも繋がる。
【図面の簡単な説明】
【０００３】
【図１】
【符号の説明】４  オン  オフ  選択出来る音声案内である。【０００４】
(57)【要約】      （修正有）【課題】開口部全面を網戸とした場合に、市販の各種の網戸用の網に交換可能で、取り付け取り外しの際に特殊な部品や器具を要しないアルミサッシの網戸枠を提供する。【解決手段】網戸枠の縦網戸枠２は、縦網戸枠２の上から下までの全断面で、室外正面から見て、縦サッシ枠１と覆い重なるように、縦網戸枠２の室外正面側を板状に延長した突起物を持った断面を有する。【選択図】図１
2016050473.tif 000002
【特許請求の範囲】
【請求項１】
以下の部材を有する網戸枠。
縦網戸枠の上から下までの全断面で、室外正面から見て、縦サッシ枠１と覆い重なるように、縦網戸枠の室外正面側を、板状に延長した突起物を持った断面を有する縦網戸枠２。
【発明の詳細な説明】
【技術分野】
【０００１】  本発明は、開口部全面を網戸とした場合に、市販の各種の網戸用の網に交換可能で、取り付け取り外しの際に特殊な部品や器具を要しないアルミサッシの網戸枠に関する。
【背景技術】
【０００２】  従来、開口部全面を網戸としたアルミサッシの網戸枠として、各サッシメーカーの落し込み式（例えば、特許文献１参照。）や、網部分を交換する方式（例えば、特許文献２参照。）が報告されている。【０００３】  しかしながら、落し込み式は、内倒し窓等の特殊な窓専用で、最も生産数及び種類の多い引き違い窓には使用できない。【０００４】  また、網部分を交換する方式は、網部分が特殊な形状をしており、市販の各種の網戸用の網が使用できない、以上のような欠点が生じた。
【先行技術文献】
【非特許文献】
【０００５】
【非特許文献１】  株式会社ＬＩＸＩＬ  建築関係者向け  商品・技術資料集在来デュオＰＧ  ２０１３．５版  Ｐ６４４
【０００６】
【非特許文献２】  株式会社丸忠  ホームページ商品名カートリッジネット  インターネット  ｈｔｔｐ：／／ｗｗｗ．ｍａｒｕｔｙｕｕ．ｃｏ．ｊｐ／ｃａｒｔｒｉｄｇｅ＿ｓｔｒｕｃｔｕｒｅ．ｈｔｍｌ
【発明の概要】
【発明が解決しようとする課題】
【０００７】  上述した従来の開口部全面を網戸としたアルミサッシの網戸枠戸では、つぎのような問題がある。【０００８】  落し込み式は、内倒し窓等の特殊な窓専用で、最も頻度の高い引き違い窓の全面を網戸として使用する場合、網戸の取り付け金具を縦サッシ枠及び横サッシ枠に追加加工する必要があり、雨水の防水対策・落下防止対策を施工しない限り使用できない。【０００９】  網部分を交換する方式は現在網の材料の発達により、花粉を防止するものから、非常に細かい虫を防止するものや、室内が見えにくいものまで各種の網が量販店で販売されているが、網部分が特殊な形状をしており、メーカーのラインナップ以外の網が取り付けができないため、市販の各種の網戸用の網が使用でない。【００１０】  ただし、従来の引き違い窓用網戸は、横サッシ枠の形状および網戸下部の横サッシ枠の戸車等で縦方向が固定されている、横方向には移動するがこの機能を利用すれば、網戸の取り付け金具を縦サッシ枠及び横サッシ枠に追加加工する必要がなく、雨水の防水対策・落下防止対策となる利点がある。【００１１】  しかし、従来の引き違い窓用網戸で、開口部全面を網戸となるように製作した場合、網戸をサッシ枠に取り付けるためには網戸枠の横寸法をサッシ枠より若干狭く作ることになるため、縦サッシ枠と縦網戸枠の間に隙間が生じ、虫の侵入を防げない。【００１２】  本発明は、このような課題に鑑みてなされたものであり、防水及び落下防止が完全に機能し、各種の網を使用可能とする、開口部全面に取り付け可能な網戸を提供することを目的とする。
【課題を解決するための手段】
【００１３】  上記目的を達成するために、本発明は、縦網戸枠の上から下までの全断面で、室外正面から見て、縦サッシ枠１と覆い重なるように、縦網戸枠の室外正面側を、板状に延長した突起物を持った断面を有する縦網戸枠２を、網戸枠の左右に使用することを最も主要な特徴とする。
【発明の効果】
【００１４】  請求項１記載の発明の網戸枠によれば、従来のアルミサッシ引き違い窓の網戸は開口部の半分であったため、サッシ窓の開閉はその部分に限定されていたが、本発明では開口部全面を網戸とすることが可能となるため、サッシ窓を右側のみ左側のみ又は左右を開けることが可能になる、しかも形状が単純であるため、組み立て及び取り付けが簡単で、網の張替えも容易であり、商品の値段も高くならない。
【図面の簡単な説明】
【００１５】
【図１】本発明を実施するためのサッシ枠と網戸の状態を示す断面図である。
【発明を実施するための形態】
【００１６】  以下、本発明を実施するための形態について説明する。
【実施例】
【００１７】  図１は、本発明を実施するための、図面正面から見て右が室外側、左が室外側で、サッシ枠に網戸が取り付いた状態を示す断面図である。
最初に、網戸枠の構成及び組み立てについて説明する。
網戸上下の横枠及び戸車等の弾性体は、現在各社で生産されている部材を使用する。
網戸左右の縦枠は、縦網戸枠の上から下までの全断面で、室外正面から見て、縦サッシ枠１と覆い重なるように、縦網戸枠の室外正面側を板状に延長した突起物を持った断面を有する縦網戸枠２を、左右に使用する。
これらの部材を従来の方法で組み立てるが、注意点として縦網戸枠２の室内側の角面６の外外寸法を、隣接する縦サッシ枠１の突起部分７に接触しないように、横網戸枠の長さを数ミリ短く設定することが必要である。
以上で網戸枠が完成し、次に網３と固定する弾性体４および網戸モヘア５を従来の方法で組み立てれば網戸全体が完成する。【００１８】  次に、引き違いサッシ枠への取り付けについて説明する。
網戸上部の横サッシ枠の網戸専用のレールにはめこみ、網戸全体を上部に圧縮して網戸下部の横サッシ枠の戸車等を網戸専用のレールにはめこみ、網戸全体を下に下ろし、最後に左右の微調整を行う。【００１９】  次に、引き違いサッシ枠以外への取り付けについて説明する。
網戸が室外側についているサッシで、上げ下げ窓や、内開き窓でサッシ枠の上下に網戸用レールに該当するサッシ枠断面の場合、網戸上部の横サッシ枠の網戸のレールに該当する箇所にはめこみ、網戸全体を上部に圧縮して網戸下部の横サッシ枠の戸車等を網戸のレールに該当する箇所にはめこみ、網戸全体を下に下ろし、最後に左右の微調整を行う。
【産業上の利用可能性】
【００２０】  本発明は、アルミサッシの網戸を製造する産業で利用される。
【符号の説明】
【００２１】１・・縦サッシ枠        ２・・縦網戸枠        ３・・網
４・・固定する弾性体    ５・・網戸モヘア
６・・縦網戸枠２の室内側の角面    ７・・縦サッシ枠１の突起部分
【図１】
2016050473.tif 000003